(57)【要約】      （修正有）【課題】フレキシブルフラットケーブルがそれを接続するコネクターに完全に挿入されているかどうかを容易に確認する手段を安価に提供すること。【解決手段】フレキシブルフラットケーブル９をコネクター７に完全に挿入すると、第二の保護絶縁塗装印刷下のカーボン電極１０の位置が、ロックケース８の上面と一致するような位置関係になり挿入が完全に行われた事が認識できる。その後、ロックケース８をコネクター本体７ａの方向に押し込むと、保護絶縁塗装印刷下のカーボン電極５がコネクター７のロックケース８の上面と同じ高さに一致し、挿入が完全である事が容易に判断できる。【選択図】図４
2006302554.tif 000002
【特許請求の範囲】
【請求項１】
ベースケーブルと、裏補強シートと、銀系塗料導電体と、カーボン印刷電極と、保護絶縁塗装とを備え、前記露出電極部の酸化を防止する為のカーボン印刷電極は、フレキシブルフラットケーブルをコネクターに挿入した時のコネクターとフレキシブルフラットケーブルの相対位置を示す印としての機能を持つフレキシブルフラットケーブル。
【請求項２】
カーボン印刷電極は、フレキシブルフラットケーブルをロック機構を備えたコネクターに挿入した時のロック前の相対位置を示す印と、ロック後の相対位置を示す二つの印を備えた請求項１に記載のフレキシブルフラットケーブル。
【請求項３】
フレキシブルフラットケーブルをコネクターに挿入した時のロック前の相対位置を示す印とロック後の相対位置を示す二つの印を備えたフレキシブルフラットケーブルにおいて、それらの印の印刷幅は、フレキシブルフラットケーブルの終端部のカーボン印刷電極幅より狭いとした請求項２に記載のフレキシブルフラットケーブル。
【発明の詳細な説明】
【技術分野】
【０００１】
本発明は電子レンジ等のキーボードと、制御Ｐ板を接続する部分に使用するフレキシブルフラットケーブルに関するものである。
【背景技術】
【０００２】
従来、この種のフレキシブルフラットケーブルはコネクター内への挿入深さを検出する為の異色のチェック基準をその補強用裏当てとして布設している（例えば、特許文献１参照）。また、コネクター内への挿入深さを示す線をフラットケーブル表面に印刷しているものもある（例えば、特許文献２参照）。
【０００３】
図６は、特許文献１に記載された従来のフレキシブルフラットケーブルの終端部を示す斜視図（ａ）、フラットケーブルをコネクタに挿入した状態を示す斜視図（ｂ）であり、図７は平面図（ａ）と側面図（ｂ）である。図６に示すように、従来のフレキシブルフラットケーブルは、導体１１と、ベースケーブル１２と、絶縁板１３と、コネクター１４と、裏当て絶縁板１５とから構成されている。なお、１６はコネクター１４が配設されたプリント基板である。
【特許文献１】特開平２−４６６０６号公報
【特許文献２】特開平９−２５９９９０号公報
【発明の開示】
【発明が解決しようとする課題】
【０００４】
しかしながら、前記従来の構成では、コネクターへの挿入深さを色で示す為の印刷した部品を使用する必要があり、印刷工程を追加する必要がある。また、印刷した裏当て絶縁板をベースケーブルに貼りあわせる時には張り合わせ加工精度が要求される為に、高価なケーブルになるという課題を有していた。
【０００５】
本発明は、前記従来の課題を解決するもので、従来のフレキシブルフラットケーブルの加工工程に何ら追加する事無く、コネクター内へフレキシブルフラットケーブルを挿入したときのコネクターとフラットケーブルの相対位置を示すマークを布設することによって、容易にケーブルの挿入状態が目視確認できるようにした、フレキシブルフラットケーブルを提供することを目的とする。
【課題を解決するための手段】
【０００６】
前記従来の課題を解決するために、本発明のフレキシブルフラットケーブルは、前記カーボン印刷電極が、フレキシブルフラットケーブルをコネクターに挿入した時の挿入位置を示す印を兼ねたものとしている。
【０００７】
これによって、追加の印刷工程によってコネクターとフラットケーブルの相対位置を示すマークをその為に印刷したり、かつ色印刷した裏当て絶縁板をベースケーブルに精度良く貼りあわせるという必要が無くなる。
【０００８】
また、本発明のフレキシブルフラットケーブルは、ケーブルのロック機構があるコネクターにおいて、ロック前にケーブルがコネクターに完全に挿入されている事をコネクター上の印によって目視で確認してからコネクターをロックする事ができるために、この事前確認により、コネクター不完全挿入の作業のやり直しを防ぐ事ができる。
【０００９】
これによって、作業のやり直し防止による作業時間の短縮と、フラットケーブルがコネクターに完全に挿入されているかどうかが容易に確認できるようになる。
【発明の効果】
【００１０】
本発明のフレキシブルフラットケーブルは、前記カーボン印刷電極が、フレキシブルフラットケーブルをコネクターに挿入した時の挿入位置を示す印を兼ねた構成を、安価で精度良く提供することができる。
【発明を実施するための最良の形態】
【００１１】
第１の発明は、ベースケーブルと、裏補強シートと、銀系塗料導電体と、カーボン印刷電極と、保護絶縁塗装とを備え、前記露出電極部の酸化を防止する為のカーボン印刷電極は、フレキシブルフラットケーブルをコネクターに挿入した時のコネクターとフレキシブルフラットケーブルの相対位置を示す印としての機能を持ち、印刷により形成されるフレキシブルフラットケーブルとすることにより、安価で精度良く物を作ることができる。
【００１２】
第２の発明は、特に、第１の発明のカーボン印刷電極は、フレキシブルフラットケーブルをロック機構を備えたコネクターに挿入した時のロック前の相対位置を示す印と、とロック後の相対位置を示す二つの印を備えたものとすることにより、ロック前にケーブルがコネクターに完全に挿入されている事をコネクター上の印によって目視確認してからコネクターをロックする事ができるために、事前確認により、コネクター挿入作業のやり直しを防ぐ事ができる。
【００１３】
第３の発明は、特に、第２の発明のフレキシブルフラットケーブルをコネクターに挿入した時のロック前の相対位置を示す印とロック後の相対位置を示す二つの印を備えたフレキシブルフラットケーブルにおいて、フレキシブルフラットケーブルの終端部のカーボン印刷電極より他のコネクター挿入位置を示す印の印刷幅が狭いとすることにより、多少カーボン印刷電極が印刷時に回転ずれを起こすなど、印刷精度が悪くても、銀系塗料導電体から印刷がはみ出す事がなく、電気的に見た不良を発生する事を防止できる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態におけるフレキシブルフラットケーブルの終端部を示す平面図と断面図である。
【００１６】
図１において、ベースケーブル１はＰＥＴ（ポリエチレンテレフタレート）等のプラスチックフィルム材料を使用したものであり、その表面に銀を含んだ導電塗料で銀系塗料導電体２を印刷形成している。さらに銀系塗料導電体２の露出電極部の酸化を防止する為のカーボン印刷電極３が重ねて印刷形成されている。さらに銀系塗料導電体２の表面保護及び電極間の絶縁性能を確保する為に、保護絶縁塗装４が施されている。前記カーボン印刷電極３の一部は、ケーブル終端のカーボン印刷電極３の近傍の保護絶縁塗装４で覆われたカーボン電極５を備えている。このカーボン電極５は、薄い保護絶縁塗装４を通してその存在が目視できる。
【００１７】
また、ベースケーブルの終端電極部をコネクターに挿入する場合の機械的強度と、コネクターが要求する電極厚み仕様を確保する為に、裏補強シート６を貼り付けている。
【００１８】
以上のように構成されたフレキシブルフラットケーブルについて、以下その動作、作用を説明する。
【００１９】
まず、ある種のフレキシブルフラットケーブル用コネクター７には、図２に示すように、コネクター本体７ａとケーブルをロックする為のロックケース８が付属している。フレキシブルフラットケーブル９をロックケース８に挿入する前には、ロックを解除する為にロックケース８を図２（ａ）の矢印で示すように上方向に引き上げてロックを解除しておく。フレキシブルフラットケーブル９には、前記保護絶縁塗装印刷下のカーボン電極５が見える。図２（ｂ）のようにフレキシブルフラットケーブル９をコネクター７に完全に挿入した後で図２（ｃ）に示すように、ロック機構のロックケース８を矢印のように、コネクター本体７ａの方向に押し込む。すると、フレキシブルフラットケーブル９がコネクター７に完全に挿入された状態で、保護絶縁塗装印刷下のカーボン電極５がコネクター７のロックケース８の上面と同じ高さと一致し、わずかにカーボン電極５が露見する構成になっている。もし、フレキシブルフラットケーブル９が十分に挿入されていないと、この保護絶縁塗装印刷下のカーボン電極５は、ロックケース８の上面から多くはみ出す為に、挿入が不完全である事が容易に判断できる。
【００２０】
以上のように、本実施の形態においては保護絶縁塗装印刷下のカーボン電極５は、カーボン印刷電極をコネクター挿入が完全に行われているかの目安として利用することが可能となり、容易に目視検査する事ができることにより、不完全挿入による接触不良を防止することができる。
【００２１】
また、本実施の形態ではケーブル終端のカーボン印刷電極３の印刷工程において、保護絶縁塗装印刷下のカーボン電極５を同時に印刷形成することにより、何ら追加部品や追加工なくして本構成を実現できる為に、本構成の部品は従来例の部品と比べると安価に提供する事ができる。
【００２２】
（実施の形態２）
図３は、本発明の第２の実施の形態のフレキシブルフラットケーブルの終端部を示す平面図と断面図である。
【００２３】
図３において、ベースケーブル１はＰＥＴ（ポリエチレンテレフタレート）等のプラスチックフィルム材料を使用したものであり、その表面に銀を含んだ導電塗料で銀系塗料導電体２を印刷形成している。さらに銀系塗料導電体２の露出電極部の酸化を防止する為のカーボン印刷電極３が重ねて印刷形成されている。さらに銀系塗料導電体２の表面保護及び電極間の絶縁性能を確保する為に、保護絶縁塗装４が施されている。前記カーボン印刷電極３の一部は、ケーブル終端のカーボン印刷電極３の近傍の保護絶縁塗装印刷下のカーボン電極５と、それより離れた第二の保護絶縁塗装印刷下のカーボン電極１０を備えている。これらのカーボン印刷は、薄い保護絶縁塗装４を通してその存在が目視できる。
【００２４】
なお、ベースケーブルの終端電極部をコネクターに挿入する場合の機械的強度と、コネクターが要求する電極厚み仕様を確保する為に、裏補強シート６を貼り付けている。
【００２５】
以上のように構成されたフレキシブルフラットケーブルについて、以下その動作、作用を説明する。
【００２６】
まず、ある種のフレキシブルフラットケーブル用コネクター７には、図４に示すように、コネクター本体７ａとケーブルをロックする為のロックケース８が付属している。フレキシブルフラットケーブル９をロックケース８に挿入する前には、ロックを解除する為にロックケース８を図４（ａ）の矢印で示す上方向に引き上げ、ロックを解除しておく。フレキシブルフラットケーブル９には、前記保護絶縁塗装印刷下のカーボン電極５と、それより離れた第二の保護絶縁塗装印刷下のカーボン電極１０が見える。図４（ｂ）のようにフレキシブルフラットケーブル９をコネクターに完全に挿入すると、前記第二の保護絶縁塗装印刷下のカーボン電極１０の位置が、ロックケース８の上面と一致するような位置関係に設計されているので、挿入が完全に行われた事が認識できる。その後、図２（Ｃ）に示すように、ロック機構のロックケース８を矢印のように、コネクター本体７ａの方向に押し込む。すると、フレキシブルフラットケーブル９がコネクターに完全に挿入された状態で、保護絶縁塗装印刷下のカーボン電極５がコネクターのロックケース８の上面と同じ高さに一致し、わずかにカーボン電極５が露見する構成になっている。もし、フレキシブルフラットケーブル９が十分に挿入されていないと、この保護絶縁塗装印刷下のカーボン電極５は、ロックケース８の上面から上に多くはみ出す為に、挿入が不完全である事が容易に判断できる。
【００２７】
以上のように、本実施の形態においては保護絶縁塗装印刷下のカーボン電極５と同じく１０は、カーボン印刷電極をコネクター挿入位置の目安として利用することが可能となり、フレキシブルフラットケーブルがコネクター７に完全に挿入されているかどうかを容易に目視検査する事ができるようになり、不完全挿入による接触不良を防止することができる。
【００２８】
（実施の形態３）
図５は、本発明の第３の実施の形態のフレキシブルフラットケーブルの終端部を示す平面図である。
【００２９】
図５（ａ）において、銀系塗料導電体２を印刷形成している。さらに銀系塗料導電体２の露出電極部の酸化を防止する為のカーボン印刷電極３が重ねて印刷形成されている。前記カーボン印刷電極３の一部は、ケーブル終端のカーボン印刷電極３近傍の保護絶縁塗装印刷下のカーボン電極５と、それより離れた第二の保護絶縁塗装印刷下のカーボン電極１０を備えている。これらのカーボン印刷の幅は、フレキシブルフラットケーブルの終端部のカーボン印刷電極３より幅が細くなっている。例えは図５（ａ）では０.７ｍｍに対して、０.４ｍｍとなっている。このように保護絶縁塗装印刷下のカーボン電極５と１０を細くすることにより、図５（ｂ）に示すように、多少カーボン印刷電極の印刷時に回転ずれが起きても、銀系塗料導電体２から印刷がはみ出す事がなく、電気的な不良を発生する事を防止できる。
【産業上の利用可能性】
【００３０】
以上のように、本発明にかかるフレキシブルフラットケーブルは、カーボン印刷電極が、フレキシブルフラットケーブルをコネクターに挿入した時の挿入位置を示す印を兼ねた構成を、安価で精度良く提供することがので、フレキシブルフラットケーブルを使用したあらゆる機器に適用できる。
【図面の簡単な説明】
【００３１】
【図１】本発明の実施の形態１におけるフレキシブルフラットケーブルの終端部を示す平面図と断面図
【図２】本発明の実施の形態１におけるフレキシブルフラットケーブルの説明図
【図３】本発明の実施の形態２におけるフレキシブルフラットケーブルの終端部を示す平面図と断面図
【図４】本発明の実施の形態２におけるフレキシブルフラットケーブルの説明図
【図５】本発明の実施の形態３におけるフレキシブルフラットケーブルの終端部を示す平面図
【図６】（ａ）従来のフレキシブルフラットケーブルの終端部を示す斜視図（ｂ）従来のフレキシブルフラットケーブルをコネクタに挿入した状態を示す斜視図
【図７】（ａ）従来のフレキシブルフラットケーブルの終端部を示す平面図（ｂ）従来のフレキシブルフラットケーブルの終端部を示す側面図
【符号の説明】
【００３２】
１  ベースケーブル
２  銀系塗料導電体
３  カーボン印刷電極
４  保護絶縁塗装
６  裏補強シート
７  コネクター
８  ロックケース
９  フレキシブルフラットケーブル
【図１】
2006302554.tif 000003
【図２】
2006302554.tif 000004
【図３】
2006302554.tif 000005
【図４】
2006302554.tif 000006
【図５】
2006302554.tif 000007
【図６】
2006302554.tif 000008
【図７】
2006302554.tif 000009